(57)【特許請求の範囲】
【請求項１】
建築物に設置された上側縦樋と下側縦樋間に設けられ、上側縦樋によって形成される雨水流路を、下側縦樋によって形成される雨水排出流路と、雨水を貯留する雨水タンクに至る貯留流路とに分流するための分水器における藻の発生抑制構造において、
分水器は、上方開口を有する分水器本体と、前記上方開口を覆い、下方開口を有する上蓋とを備え、
この上蓋の天面部には、上側縦樋を上蓋に装着する際異なる径を有する上側縦樋にそれぞれ対応可能となるように複数の切り取り用部分が設けられている一方、
分水器本体は、下側縦樋の上流側開口に連通する排出口と、雨水供給用ホースを介して雨水タンクの入口に連通する連通口とを底部に有し、
さらに、
前記上蓋の少なくとも一部分を緑色透明に形成してあるとともに、
分水器本体は、前記雨水流路を流れてきた雨水が前記排出口の側と前記連通口の側へと分流通過可能な網状体を前記排出口と前記上方開口間に備えていることを特徴とする分水器における藻の発生抑制構造。
【請求項２】
前記上蓋の全体を緑色透明の合成樹脂で形成してある請求項１に記載の分水器における藻の発生抑制構造。
【請求項３】
前記上蓋の上部において上側縦樋の下流端部が挿通可能に形成された切り取り開口のまわりを除く前記蓋の全体を緑色透明の合成樹脂で形成してある請求項１に記載の分水器における藻の発生抑制構造。
【請求項４】
前記上蓋の上部を除く部分を緑色透明の合成樹脂で形成してある請求項１に記載の分水器における藻の発生抑制構造。
【請求項５】
前記上蓋の下部を除く部分を緑色透明の合成樹脂で形成してある請求項１に記載の分水器における藻の発生抑制構造。
【発明の詳細な説明】
【技術分野】
【０００１】
この発明は、分水器における藻の発生抑制構造に関するものである。
【背景技術】
【０００２】
雨水を園芸用などの水に利用するため建築物に設置された上側縦樋と下側縦樋間に合成樹脂製の分水器を設け、この分水器を介して分水器の下流に位置する雨水タンクに雨水を貯留する雨水利用システムが下記特許文献１に提案されている。
【０００３】
前記分水器は、上側縦樋によって形成される雨水流路を、下側縦樋によって形成される雨水排出流路と、前記雨水タンクとに分流するための器具である。
【先行技術文献】
【特許文献】
【０００４】
【特許文献１】特開２００９−１２７３７１号公報
【発明の概要】
【発明が解決しようとする課題】
【０００５】
ところで、雨水利用システムでは、分水器の設置環境（設置場所、日当たり具合）やその合成樹脂材料によっては、例えば図８に示すように、照射される太陽光Ａが影響して分水器Ｂの内部に緑色藻類が発生することになり、衛生上、美観上問題がある。さらに、分水器Ｂ内に設けられている例えばフィルタが藻の発生により目詰まりを起こす原因にもなる。Ｗは雨水タンクである。
【０００６】
この発明は、上述の事柄に留意してなされたもので、その目的は、分水器の内部の緑色藻類の発生が抑制され、衛生上、美観上の問題を未然に防ぐことができる分水器における藻の発生抑制構造を提供することである。
【課題を解決するための手段】
【０００７】
上記目的を達成するために、この発明は、建築物に設置された上側縦樋と下側縦樋間に設けられ、上側縦樋によって形成される雨水流路を、下側縦樋によって形成される雨水排出流路と、雨水を貯留する雨水タンクに至る貯留流路とに分流するための分水器における藻の発生抑制構造において、
分水器は、上方開口を有する分水器本体と、前記上方開口を覆い、下方開口を有する上蓋とを備え、
この上蓋の天面部には、上側縦樋を上蓋に装着する際異なる径を有する上側縦樋にそれぞれ対応可能となるように複数の切り取り用部分が設けられている一方、
分水器本体は、下側縦樋の上流側開口に連通する排出口と、雨水供給用ホースを介して雨水タンクの入口に連通する連通口とを底部に有し、
さらに、
前記上蓋の少なくとも一部分を緑色透明に形成してあるとともに、
分水器本体は、前記雨水流路を流れてきた雨水が前記排出口の側と前記連通口の側へと分流通過可能な網状体を前記排出口と前記上方開口間に備えていることを特徴とする分水器における藻の発生抑制構造（請求項１）を提供する。
【０００８】
この発明では分水器を例えば合成樹脂材料で成形するが、太陽光の照射下において緑色藻類（以下、単に藻という）の発生を抑えるには、最低波長が４５０ｎｍ以上、最高波長が６００ｎｍ以下の波長領域の光のみを太陽光の照射が激しい分水器の蓋に透過させる必要がある。そこで、分水器の上蓋の少なくとも一部分に使われる合成樹脂材料には、４５０〜６００ｎｍの波長領域の光のみを透過する緑色の例えば染料が含まれている。そして、上蓋の少なくとも一部分は透明に成形してある。
【０００９】
この発明では、前記上蓋の全体を緑色透明の合成樹脂で形成してあるのが好ましく（請求項２）、また、前記上蓋の上部において上側縦樋の下流端部が挿通可能に形成された切り取り開口のまわりを除く前記上蓋の全体を緑色透明の合成樹脂で形成してあるのが好ましく（請求項３）、また、前記上蓋の上部を除く部分を緑色透明の合成樹脂で形成してあるのが好ましく（請求項４）、また、前記上蓋の下部を除く部分を緑色透明の合成樹脂で形成してあるのが好ましい（請求項５）。
【発明の効果】
【００１０】
この発明では、分水器の上蓋の少なくとも一部分を緑色透明に形成してあることから、上蓋の一部分を介して太陽光が照射されても分水器の内部に緑色藻類が発生するのを極力抑制することができ、衛生上、美観上の問題を未然に防ぐことができる。さらに、緑色透明であることから、分水器の内部、すなわち、上蓋の内部や上蓋によって覆われている分水器本体の内部を目視することができる。例えば分水器本体の内部に設けられているフィルタ等のメンテナンス部材の汚れ具合を目視により確認することができ、適切なメンテナンスの実施が可能となる点で好適である。
【００１１】
また、この発明では、上蓋の少なくとも一部分を緑色透明に形成しているが、それ以外の蓋部分を例えば赤色や白色の不透明の材料で形成することにより、デザインの自由度が増すことになり、外観が引き立ち美観上好ましい。
【図面の簡単な説明】
【００１２】
【図１】この発明の第１の実施形態の使用状態を示す構成説明図である。
【図２】上記実施形態の使用状態を示す要部斜視図である。
【図３】この発明の第２の実施形態の使用状態を示す要部斜視図である。
【図４】この発明の第３の実施形態の使用状態を示す要部斜視図である。
【図５】この発明の第４の実施形態の使用状態を示す要部斜視図である。
【図６】この発明の第５の実施形態の使用状態を示す要部斜視図である。
【図７】この発明の第６の実施形態の使用状態を示す要部斜視図である。
【図８】分水器と雨水タンクの設置状態を示す図である。
【発明を実施するための形態】
【００１３】
以下この発明の実施の形態について図８をも参照して説明する。
〔実施形態１〕
図１，２は、分水器の上蓋（カバー）の全体を緑色透明の合成樹脂で形成してあるこの発明の第１の実施形態を示す。図１，２，８において、合成樹脂製の分水器１は、建築物に設置された上側縦樋２と下側縦樋３間に設けられ、上側縦樋２によって形成される雨水流路ｉを、下側縦樋３によって形成される雨水排出流路ｊと、雨水を貯留する合成樹脂製の雨水タンクＷに至る貯留流路ｋとに分流するためのものである。分水器１は、上方開口４を有する分水器本体５と、前記上方開口４を覆う上蓋（カバー）６とを備え、前記上蓋６は、所定の厚みを有する天面部Ｔと、天面部Ｔの周縁から垂下して形成された所定の厚みを有するスカート部ｔとよりなり、上側縦樋２を上蓋６に装着するため異なる径を有する上側縦樋２にそれぞれ対応可能となるように形成された複数の例えば同心円状の切り取り用部分が天面部Ｔの大形部分Ｒに設けられている。天面部Ｔは、平面視だるま形状で、前記大形部分Ｒと小形部分ｒより構成される。７は、前記円形の切り取り用部分のうち、上側縦樋２に合った径の切り取り用部分を切り取って形成された上側縦樋装着のための切り取り開口であり、上側縦樋２の下流端部（下流側開口部）が前記切り取り開口７に挿通している。一方、分水器本体５は、下側縦樋３の上流側開口に連通する排出口８と、雨水供給用ホース９を介して雨水タンクＷの入口ｕに連通する連通口１０とを底部に有する。また、分水器本体５は、前記雨水流路ｉを流れてきた雨水が前記排出口８の側と前記連通口１０の側へと分流通過可能な逆円錐台形の網状体（ストレイナー）１１を前記排出口８に連通させた状態で前記排出口８と前記上方開口４間に備えている。６ａは、スカート部ｔの下端によって形成され分水器本体５の上方開口４に係合する上蓋６の下方開口である。
【００１４】
この実施形態では、切り取り開口７が形成された上蓋６は、その全体を緑色透明の合成樹脂で形成してある一方、分水器本体５は白色の不透明の合成樹脂で形成してある。このように、分水器１の上下の色を異ならせているので、デザインの自由度が増すことになり、美観上有利である。なお、分水器本体５の色は白色に限るものではなく、使用形態、使用場所等によりその都度適宜の色を使用することができる。
【００１５】
〔実施形態２〕
図３は、分水器１の上蓋５の切り取り開口７のまわりを除く上蓋６の全体を緑色透明の合成樹脂で形成してあるこの発明の第２の実施形態を示す。図３において、図１，２に示した符号と同一のものは同一または相当物である。１２は、天面部Ｔの一部の領域を示しており、具体的には前記大形部分Ｒの一部領域であり、上蓋６の切り取り開口７のまわりの該開口７に至る内側リング領域を示している。その内側リング領域１２は、分水器本体５と同様に白色の不透明の合成樹脂で形成してあるとともに、内側リング領域１２を除く上蓋６の全体を緑色透明の合成樹脂で形成してある。
【００１６】
〔実施形態３〕
図４は、上蓋６の上部を除く上蓋部分を緑色透明の合成樹脂で形成してあるこの発明の第３の実施形態を示す。図４において、図１〜３に示した符号と同一のものは同一または相当物である。１３は、上蓋６の上部領域を示しており、天面部Ｔの全体領域Ｔ1 とスカート部ｔの上部分ｔ１の領域ｔ１’を含む領域である。この実施形態では、前記領域１３は、分水器本体５と同様に白色の不透明の合成樹脂で形成してある。なお、スカート部ｔの上部分ｔ１は、上下の幅を有して帯状に形成されている。ｔ２はスカート部ｔの下部分であり、上部分ｔ１よりも上下の幅が広い帯状に形成されており、緑色透明の合成樹脂で形成してある。
【００１７】
〔実施形態４〕
図５は、上蓋６の下部を除く上蓋部分を緑色透明の合成樹脂で形成してあるこの発明の第４の実施形態を示す。図５において、図１〜４に示した符号と同一のものは同一または相当物である。この実施形態では、天面部Ｔの全体領域Ｔ１とスカート部ｔの上部分ｔ１の領域ｔ１’を含む領域１３が緑色透明の合成樹脂で形成されている。また、スカート部ｔの下部分ｔ２は、分水器本体５と同様に白色の不透明の合成樹脂で形成してある。
【００１８】
図１〜５では、大形部分Ｒの上面と小形部分ｒの上面が面一である天面部Ｔを示した。
【００１９】
〔実施形態５〕
図６は、大形部分Ｒの上面が小形部分ｒの上面よりも高く位置している、上記第２の実施形態の変形例を示す。図６において、図１〜５に示した符号と同一のものは同一または相当物である。２０は、天面部Ｔの小形部分ｒの上面２１よりも高い位置に形成された上面２２を有する大形部分全体を示しており、鍔形状をなしている。この大形部分２０は上蓋６の切り取り開口７のまわり全体に形成されており、分水器本体５と同様に白色の不透明の合成樹脂で形成してある。一方、大形部分２０を除く上蓋６の全体を緑色透明の合成樹脂で形成してある。
【００２０】
〔実施形態６〕
図７は、図６の変形例を示す。図７において、図１〜６に示した符号と同一のものは同一または相当物である。この実施形態では、大形部分２０全体を緑色透明の合成樹脂で形成してある。また、大形部分２０を除く上蓋６の全体を分水器本体５と同様に白色の不透明の合成樹脂で形成してある。
【００２１】
なお、藻の発生を抑制する対策が施されていない例えば市販の透明または半透明の合成樹脂製の雨水タンクＷの場合では、その表面に、４５０〜６００ｎｍの波長領域の光のみを透過する緑色の染料を塗布するか、又は４５０〜６００ｎｍの波長領域の光のみを透過する緑色のテープを貼着するのが緑色藻類の発生が抑制される点で好ましい。この場合、染料あるいはテープとしては適宜選択でき、不透明のものよりも半透明のものが好ましく、透明のものがより好ましい。
【符号の説明】
【００２２】
１            分水器
２            上側縦樋
３            下側縦樋
５            分水器本体
６            上蓋
７            切り取り開口
【図１】
0005477903.tif 000002
【図２】
0005477903.tif 000003
【図３】
0005477903.tif 000004
【図４】
0005477903.tif 000005
【図５】
0005477903.tif 000006
【図６】
0005477903.tif 000007
【図７】
0005477903.tif 000008
【図８】
0005477903.tif 000009